(57)【要約】【課題】水溶性細泡状消火組成物の提供。【解決手段】本発明の消火剤は、一種の発泡剤・直鎖アルキルベンゼンスルホン酸ナトリウム・水の組み合わせによる、人体、環境に無害で、コストの低い水溶性の細かい泡が多く出る消火剤の成分である。温度を下げ、火の勢いを押さえる効果にすぐれ、同温層のオゾンに影響することなく、地球の環境に対してもやさしく、温暖化現象が生じない。【選択図】        なし【特許請求の範囲】
【請求項１】
１リットルの水と、少なくとも０．５ｇの発泡剤及び１．５ｇの直鎖アルキルベンゼンスルホン酸ナトリウムで構成された、水溶性細泡状消火組成物。
【発明の詳細な説明】
【０００１】
【発明の属する技術分野】
本発明は消火組成物に関する。本発明の消火組成物は、水溶性で細泡状とされ、消火効果に優れている。さらに、環境を汚染することなく、人体にも無害な成分であることを特長とする。本発明の消火剤成分は、オゾン層を破壊することがなく、環境に一切影響を及ぼさないので、現在問題となっている地球の温暖化現象を助長する作用はまったくない。本消火剤の消火効果、火勢を押さえる効果は極めて良好で、人体にも無害であり、腐蝕性が低いので、従来のように消火剤を使用することで破壊や汚染が発生することがない。
【０００２】
【従来の技術】
経済の急速な発展に伴い、人口も急速に増しているが、地球上で利用できる土地には限りがあり、住宅空間の不足から、結果として、上へ上へと伸びることになる。この傾向は将来ますます顕著になるはずである。現在、各国の都市部は高層ビルが林立していて、その安全管理の面で、危惧される点が指摘されている。なかでも、火災対策は、重要な懸案の一つであり、いかに効果的に消火が行えるかが、貴重な人命や財産を守る大きな鍵となる。しかし、一般の人々は、防火、消火に対しての知識をあまり持ち合わせていない。そして、一般家庭で準備されている消火器は、たいてい似たりよったりである。また、緊急の事態が発生すれば、パニック状態になり、的確な行動をとることができなくなることも考えられる。初期の段階で消火活動の機会を逃し、火の手が大きくなってしまい、手後れになった例が度々報告されている。
【０００３】
消火には２つの重要な要素がある。
１、可燃物を空気から隔離する。
２、温度を下げて、燃焼に必要な温度に達しないようにする。
したがって、小さな火災の場合は、敷物をかぶせたり、泡で燃焼物の表面を覆ったりして、燃焼物を空気から隔離して消火することが可能であるが、一般には、水をかけて、燃焼物の温度を下げ、燃焼現象が継続できない温度まで下げるという方法で消火する。この、水を利用して消火することにより火を消し、燃焼物を空気から隔離する方法は、効果が明らかである。さらに、水は一般家庭で簡単に入手でき、火災に遭った（火がついた）時にまず考える方法でもある。つまり、燃焼物の表面に水をかけて消火することができるのである。しかしながら、消火を行った後、建物の構造や物品に対する破壊については、あまり重視されていない。従来の、水を使用する消火による損害を改善するべく、１９８１年代には、ハロゲンを含んだ炭化水素化合物の消火剤が使用されるようになった。これらの、ハロゲンを含んだ炭化水素化合物の消火剤は、効果的に消火ができると同時に、建物や物品への破壊を最小限に留めることが可能である。
【０００４】
現在、最もよく使用されている、ハロゲンを含む炭化水素化合物の消火剤は、臭素を含むハロゲン基炭化物、つまり、ハロン１３０１（ＣＦ３  Ｂｒ．Ｈａｌｏｎ１３０１）及びハロン１２１１（ＣＦ２  ＣｌＢｒ．Ｈａｌｏｎ１２１１）で、一般には、これらのハロン消火剤は、燃え盛る火災には効果があると考えられている。これは、燃焼時の高温状態において、これらの化合物が分解して、臭素原子が発生し、有効に燃焼を押さえる、したがって、このタイプの臭素を含むハロン消火剤は、一般に、缶詰め式のタイプや火災報知器によって作動する室内噴射消火システムに使用されている。
【０００５】
前述のように、ハロン１２１１のような臭素を含む炭化物は、燃焼を押さえる物質を提供することで知られている。しかしながら、臭素はコストが高い上、人体にも害を及ぼす。例えば、極めて低い含有量でも、心臓に影響を与えるため、長時間使用することはよくない。
【０００６】
さらに、近年、臭素を含むハロン消火剤使用に反対する傾向が強くなっている。同温層の酸素が破壊され、特に、フロン（ＣＦＣｓ）はそれに替わる冷却剤、溶剤、発泡剤等に変わりつつある。現在、ハロン１３０１及びハロン１２１１の臭素を含むハロゲン炭化物は、少なくとも、フロンがオゾン層を分解する過程におけるものと同じ程度の作用があると考えられている。しかし、臭素を含むハロゲン炭化物は極めて安定しているため、それが、いわゆる「温室効果」を生じ、環境上のまた一つの問題になっている。
【０００７】
【発明が解決しようとする課題】
上述のハロゲン炭化水素化合物の欠点に鑑み、火災が発生した時の最も自然な反応が水をさがすという点、そして、水は家庭や室内で最も手に入りやすいという点から、本発明の混合成分を提供するに至った。
【０００８】
本発明の消火剤は、一種の発泡剤・直鎖アルキルベンゼンスルホン酸ナトリウム・水の組み合わせによる、人体、環境に無害で、コストの低い水溶性の細かい泡が多く出る消火剤の成分である。
【０００９】
【課題を解決するための手段】
請求項１の発明は、１リットルの水と、少なくとも０．５ｇの発泡剤及び１．５ｇの直鎖アルキルベンゼンスルホン酸ナトリウムで構成された、水溶性細泡状消火組成物としている。
【００１０】
【発明の実施の形態】
本発明の消火組成物において、直鎖アルキルベンゼンスルホン酸ナトリウムと水の組み合わせは、可燃性物質の燃焼予防、あるいは、消火に効果がある。特に、閉ざされた空間において、同温層のオゾンの分解あるいはいわゆる「温室効果」といった作用がない。この組み合わせは、１ｋｇの水に０．５ｇのＥＭＡＬが含まれた、つまり、一般によく知られている発泡剤に、さらに、１．５ｇの直鎖アルキルベンゼンスルホン酸ナトリウム（ＤＢＮ）を加える。この組み合わせは、１ｋｇ内に少なくとも５００ｋｇの水が溶解している。混合及び攪拌を経ることにより生じる細かい泡の速度は、１００ｍｍ２  ／ｓｅｃである。
【００１１】
一般に、消火器は、上述のように人体や環境に有害である上、コストがかかって価格が高くなる。容量が小さいものは使用上不足の感があり、容量の大きいものは体積が大きく使用上不便であり、保管に場所を取るため、使用法も一定でしかない。したがって、現在、一般の家庭、オフィスでは、あまり普及していない。かえって、水によって消火する方法の方が一般には受け入れられている。特に、現在はどこにでも消火栓の設備があり、取水は極めて容易である。水をかけて消火するという方法は、前述のような水による損害が発生するという欠点があるものの、一般家庭やオフィスといった閉ざされた空間において発生した小型の火災が発生した場合は、水による消火が最もよく受け入れられ、経済的な方法である。閉ざされた空間において、火災が発生した場合、本発明の組み合わせ物を池や桶の中に入れることで、燃焼物を空気から隔離することができる。人体や環境にまったく無害であるであるため、直接手で取って、火種を消すことも可能である。また、不要になったペットボトルあるいはプラスチックボトルに本発明の消火組成物を入れておくことができ、コストがかからず、収納にも便利である。５００リットルの容器の水に、１リットルの本発明の消火組成物を加え、前述のハロゲン炭化水素化合物の代わりに使用することができ、迅速に燃焼点温度を下げ、燃焼物を空気から隔離することができる。
【００１２】
閉ざされた空間中の空気が燃焼する条件を排除するため、気体あるいは多種気体の使用量は、その空間の各モルに存在する酸素の熱容量がその閉ざされた環境中において火炎及び非自然的な物質の燃焼の発生を抑制あるいは予防するものでなければならない。
【００１３】
閉ざされた空間の中において出現した、可燃性の物質の違いによって、必要な燃焼を抑制する最低熱容量は異なる。物質の燃焼度、つまり、既知の環境条件下における着火、燃焼の継続は、体積の表面積、熱容量、多穴性、及び、その他の類似条件の化学組成のある種の物質性質によって異なるのである。例えば、ちり紙のように薄くて、多穴性の紙は、かたまり状の物体に比べ燃えやすい。熱容量は約４０カロリー／℃であり、１モルの酸素量が、木材及びプラスチックに相当する燃焼度物質の燃焼を予防、あるいは、抑制するに足りると言える。ある種の特に燃えやすい物質は、最低必要量を超えた熱容量を提供することで、予想外の安全領域を生じさせることが理想的である。通常、１モルの酸素の最低熱容量が４５カロリー／℃の時、中度の燃焼度の物質の燃焼を抑制することができる。そして、本発明の組成物を構成する発泡剤・直鎖アルキルベンゼンスルホン酸ナトリウム・水は全てこの数値内である。
【００１４】
【発明の効果】
本発明の消火剤成分は、オゾン層を破壊することがなく、環境に一切影響を及ぼさないので、現在問題となっている地球の温暖化現象を助長する作用は皆無である。また、本消火剤の消火効果、火勢を押さえる効果は極めて良好で、人体にも無害（腐蝕、損傷を含む）であり、腐蝕性が低いので、従来のように消火剤を使用することで破壊や汚染が発生することがない。